(57)【要約】      （修正有）【課題】高速で製織可能であって、織物の緯糸方向である幅方向の途中で織組織が異なることによって、製織の工程で意匠性を付与された織物を製造する織機、及び、その織物の製織方法を提供すること。【解決手段】織機の緯入れ手段が緯入れ方向上流側に設けられており、流体を噴射することで緯入れ方向に緯糸３を飛走させるノズル４を有する。このノズル４の流体の噴射圧力及び噴射時間は調節可能となっており、このノズル４の緯入れ方向下流側には、緯糸３の到達を検出するセンサー９が設けられており、このセンサー９がＯＮ／ＯＦＦ自在となっている。【選択図】図１
2017155396.tif 000002
【特許請求の範囲】
【請求項１】
緯糸ごとに緯入れ方向の下流側の端の到達位置を調節して、緯糸を通すことができる緯入れ手段を有することを特徴とする織機。
【請求項２】
前記緯入れ手段は、緯糸の下流側の端の到達位置を所定の位置とするために、緯糸を通す前に緯糸を測長することを特徴とする請求項１に記載の織機。
【請求項３】
前記織機はジェット織機であって、
前記緯入れ手段が緯入れ方向上流側に設けられており、流体を噴射することで緯入れ方向に緯糸を飛走させるノズルを有し、
このノズルの流体の噴射圧力及び噴射時間は調節可能となっており、
このノズルの緯入れ方向下流側には、前記緯糸の到達を検出するセンサーが設けられており、
このセンサーがＯＮ／ＯＦＦ自在となっていることを特徴とする請求項１又は２に記載の織機。
【請求項４】
前記緯入れ手段は、さらに、緯糸が飛走する方向に沿って所定間隔を空けて配置され、飛走する前記緯糸に流体を噴射するサブノズルを有しており、
これらのサブノズルの噴射圧力及び噴射時間は調節可能となっており、
緯入れ方向に前記緯糸の下流側の端が到達する所定の位置より下流側のサブノズルは、当該緯糸を前記ノズルから飛走させる場合に、流体の噴射を停止できることを特徴とする請求項３に記載の織機。
【請求項５】
前記センサーは、緯糸の下流側の端が到達する所定の位置の緯入れ方向上流側と下流側にそれぞれ設けられていることを特徴とする請求項３又は４に記載の織機。
【請求項６】
前記緯入れ手段は、さらに、前記ノズルで緯糸を飛走させる前に当該緯糸を測長する測長手段とその測長された緯糸の係止及び開放を行う係止手段を有しており、
前記係止手段の係止及び開放のタイミングが調節可能となっていることを特徴とする請求項３乃至５のいずれかに記載の織機。
【請求項７】
経糸を開口させる工程と、
緯糸ごとに緯入れ方向の下流側の端の到達位置を調節して前記開口に緯糸を通す工程と、
前記緯糸を筬打ちする工程とを備える製織方法。
【請求項８】
前記経糸を開口させる工程の前に、緯入れ方向の下流側の端の到達位置が緯入れ方向の所定位置となるように、緯糸を測長する工程をさらに備えることを特徴とする請求項７の製織方法。
【発明の詳細な説明】
【技術分野】
【０００１】
本発明は、織機及び製織方法に関するものであり、特に緯入れ方向に異なる織組織が連続している織物を製造する織機、及び、その織物の製織方法に関するものである。
【背景技術】
【０００２】
高速で織物を製造する自動織機においては、経糸方向である長さ方向に織組織が異なることによって、意匠性を付与した織物を製織することは容易である。
【０００３】
しかし、織物の緯糸方向である幅方向の途中で織組織が異なることによって意匠性を付与することは難しい。そこで、自動織機で製織された織物において、ループのカットや刺繍によって、緯糸方向に異なる組織又はデザインとすることで意匠性を付与することがある。
【０００４】
刺繍によって織物に意匠性を付与する方法として、特許文献１に示すものがある。
【先行技術文献】
【特許文献】
【０００５】
【特許文献１】特開２０１２−２２３２７７号公報
【発明の概要】
【発明が解決しようとする課題】
【０００６】
しかしながら、ループのカットや刺繍は製織後に行われる別の工程であるので、ループのカットや刺繍による意匠性の付与しようとすると、時間及び手間がかかるという問題がある。
【０００７】
そこで、上記点より本発明は、高速で製織可能であって、織物の緯糸方向である幅方向の途中で織組織が異なることによって、製織の工程で意匠性を付与された織物を製造する織機、及び、その織物の製織方法を提供することを目的とする。
【課題を解決するための手段】
【０００８】
上記課題を解決するため、請求項１の織機は、緯糸ごとに緯入れ方向の少なくとも下流側の端の位置を調節して、緯糸を通すことができる緯入れ手段を有する。
【０００９】
請求項１の織機によれば、緯入れ手段が緯糸ごとに緯入れ方向の下流側の端の位置を調節して緯糸を通すことができるので、一部の緯糸の緯入れ方向の下流側の端を緯入れ方向の所定の位置とすることができる。これにより、請求項１に記載の織物を製織することができる。
【００１０】
請求項２の織機は、請求項１の織機において、緯糸の下流側の端が所定の位置とするために、緯糸を通す前に緯糸を測長する。
【００１１】
請求項２の織機によれば、請求項１の織機と同様に作用する上に、緯糸を通す前に緯入れする緯糸を測長することによって、所定の長さの緯糸が緯入れされ、緯糸の下流側の端の位置を正確に調節することができる。
【００１２】
請求項３の織機は、請求項１又は２の織機において、前記織機はジェット織機であって、前記緯入れ手段が緯入れ方向上流側に設けられており、流体を噴射することで緯入れ方向に緯糸を飛走させるノズルを有し、このノズルの流体の噴射圧力及び噴射時間は調節可能となっており、このノズルの緯入れ方向下流側には、前記緯糸の到達を検出するセンサーが設けられており、このセンサーがＯＮ／ＯＦＦ自在となっている。
【００１３】
請求項３の織機によれば、請求項１又は２の織機と同様に作用する上に、ノズルの流体の噴射圧力及び噴射時間は調節可能となっていることで、例えば、太さ、伸縮、空気抵抗等が異なる多種類の緯糸に対応すること、緯糸の他流側の端の到達位置の精度を向上させること等が実現できる。
【００１４】
また、一般の織機では、緯糸の下流側の端がセンサーに到達しないことをセンサーが検知した場合は、織機の停台又はその到達しなかった糸を引き抜いた上での再緯入れをおこなう。しかし、請求項３の織機によれば、請求項１又は２の織機と同様に作用する上に、緯糸の下流側の端が前記センサーに到達しない緯糸を前記ノズルから飛走させる場合に、前記センサーをＯＦＦにできるようになっている。そのため、織機を停台等させることなく、前記一部の緯糸を含む織組織と前記一部の緯糸を含まない織組織とが緯入れ方向に連続している織物を製織しつづけることができる。加えて、センサーをＯＮにしたままにすることによって、異なる織組織が緯入れ方向に連続していない織物も同一の織機で製織することができる。
【００１５】
請求項４の織機は、請求項３の織機において、前記緯入れ手段は、さらに、緯糸が飛走する方向に沿って所定間隔を空けて配置され、飛走する前記緯糸に流体を噴射するサブノズルを有しており、これらのサブノズルの噴射圧力及び噴射時間は調節可能となっており、緯入れ方向に前記緯糸の下流側の端が到達する所定の位置より下流側のサブノズルは、当該緯糸を前記ノズルから飛走させる場合に、流体の噴射を停止できる。
【００１６】
請求項４の織機によれば、請求項３の織機と同様に作用する上に、サブノズルの流体の噴射圧力及び噴射時間は調節可能となっていることで、例えば、太さ、伸縮、空気抵抗等が異なる多種類の緯糸に対応すること、緯糸の他流側の端の到達位置の精度を向上させること等が実現できる。
【００１７】
また、請求項４の織機によれば、請求項３の織機と同様に作用する上に、前記緯入れ手段は、さらに、前記緯糸を通すために流体を噴射するサブノズルを有しており、前記緯糸の下流側の端が到達する所定の位置より下流側のサブノズルは、当該所定の位置より下流側のサブノズルは流体を噴射しないようにできる。
【００１８】
請求項５の織機は、請求項３又は４の織機において、前記センサーは、緯糸の下流側の端が到達する所定の位置の緯入れ方向上流側と下流側にそれぞれ設けられている。
【００１９】
請求項５の織機によれば、請求項３又は４の織機と同様に作用する上に、緯入れ方向の所定の位置に確実に緯糸の下流側の端が到達したかどうか検出することができる。
【００２０】
請求項６の織機は、請求項３乃至５のいずれかの織機において、前記緯入れ手段は、さらに、前記ノズルで緯糸を飛走させる前に当該緯糸を測長する測長手段とその測長された緯糸の係止及び開放を行う係止手段を有しており、前記係止手段の係止及び開放のタイミングが調節可能となっている
【００２１】
請求項６の織機によれば、請求項３乃至５の織機と同様に作用する上に、サブノズルの流体の噴射圧力及び噴射時間は調節可能となっていることで、例えば、太さ、伸縮、空気抵抗等が異なる多種類の緯糸に対応すること、緯糸の他流側の端の到達位置の精度を向上させること等が実現できる。
【００２２】
請求項７の製織方法は、経糸を上下に開口させる工程と、前記開口に緯糸ごとに緯入れ方向の下流側の端の位置を調節して緯糸を通す工程と、前記緯糸を筬打ちする工程とを備える。
【００２３】
請求項７の製織方法によれば、緯糸を通す工程において、緯糸ごとに緯入れ方向の下流側の端の位置を調節して緯糸を通すことができるので、一部の緯糸の緯入れ方向の下流側の端を緯入れ方向の所定の位置とすることができる。これにより請求項１に記載の織物を製織することができる。
【００２４】
請求項８の製織方法は、請求項７の製織方法において、前記緯糸を通す工程の前に、一部の緯糸の緯入れ方向の下流側の端が緯入れ方向の所定位置となるように、緯糸を測長して巻き取る工程をさらに備える。
【００２５】
請求項８の製織方法によれば、請求項７の製織方法と同様に作用する上に、緯糸を測長して巻き取る工程によって、所定の長さの緯糸が緯入れされ、その後の、緯糸を通す工程において、緯入れした緯糸の下流側の端の位置を正確に調節することができる。
【発明の効果】
【００２６】
請求項１乃至６いずれかの織機及び請求項７又は８いずれかの製織方法は、高速で製織可能であって、織物の緯糸方向の途中で織組織が異なることによって、製織の工程で意匠性を付与することができる。製織直後の織物自体が従来にない意匠性を有することとなる。さらに、織組織が異なることによって織密度も異なり、織組織の異なる部分の遮光性が異なるという機能性も意匠性とともに製織の工程で付与することができる。例えば、このような、織組織の異なる部分の遮光性が異なる織物からなるカーテンを窓に取り付けた場合、そのカーテンの意匠性が優れているとともに、日光の照射が強い部分について選択的に遮光性を高めることができる。
【図面の簡単な説明】
【００２７】
【図１】本発明の一実施形態の織機の概略図である。
【図２】図１の織機において各グループの緯糸の到達位置を示す概略図である。
【図３】図１の織機において、緯入れの一例を示す概略図である。
【図４】図３で製織された織物の織組織を示す概略図である。
【発明を実施するための形態】
【００２８】
本発明の一実施形態の織機について、図面に基づいて説明する。
【００２９】
織機は、ジェット織機の一つであるエアジェットルームである。織機は、経糸２を開口させる開口手段と、その開口に緯糸３を通す緯入れ手段と、通した緯糸３を筬打ちする筬打ち手段とを有する。
【００３０】
図１に示すように、緯入れ手段は、緯入れ方向上流側に設けられているノズル４と、緯糸が飛走する方向に沿って所定間隔を空けて配置されているサブノズル５１〜５８と、緯糸パッケージ６から測長した緯糸３を供給する測長手段７と、その測長された緯糸３の係止及び開放を行う係止手段８とを有する。
【００３１】
ノズル４は、流体である圧縮空気を噴射することで緯入れ方向に緯糸３を飛走させる。サブノズル５１〜５８は飛走する緯糸３にさらに流体である圧縮空気を噴射して緯糸３の飛走速度の低下を防ぐ。
【００３２】
測長手段７は、ドラム７１を有する測長貯留装置である。係止手段８は、測長された緯糸３が巻きついたドラム７１の外周面に当接及び離間自在となっているピン８１を有する。
【００３３】
緯入れの際に、ピン８１がドラム７１の外周面から離間するとドラム７１に巻きついた測長された緯糸３が開放される。ノズル４から緯糸３を飛走させるとドラム７１に巻きついた緯糸３が送り出される。
【００３４】
緯入れの際に、ドラム７１から所定回数の緯糸３の巻きが解除されたら、ピン８１がドラム７１の外周面に当接する。ピン８１の当接によってドラム７１に巻きついた緯糸３は送り出しが止まり、緯糸３が係止されるようになっている。
【００３５】
緯入れ手段は、緯糸３ごとに緯入れ方向の下流側の端の到達位置を調節して、緯糸３を通すことができるようになっている。
【００３６】
具体的に説明すると、図２に示すように、本実施形態では、緯糸３がａ〜ｄの４つのグループに分けられている。ａ〜ｄの各グループに属する緯糸は、それぞれ緯糸３ａ〜３ｄとする。緯糸３ａ〜３ｄの下流側の端の到達位置を４つの所定の位置としている。４つの所定の位置は、緯入れ方向にノズルの先端から近い順に第１位置、第２位置、第３位置及び第４位置となっている。
【００３７】
第１位置から第３位置に到達する緯糸３ａ〜３ｃは、織り端にまで到達していない状態、いわゆるショートピックとなっている。
【００３８】
第４位置は、ノズル４から緯入れ方向に最も離れた経糸２よりも遠い位置となっており、緯糸３ｄは、織り端にまで到達している状態となっている。
【００３９】
緯入れ手段は、緯糸３ａ〜３ｄの下流側の端の到達位置を所定の位置とするために、緯糸３ａ〜３ｄを通す前に緯糸３ａ〜３ｄを測長する。
【００４０】
具体的に説明すると、図１に示すように、本実施形態では、緯糸３ａ〜３ｄを予め所定の回数をドラム７１に巻きつけておく。緯糸３ａ〜３ｄは、下流側の端の到達位置が異なるので、測長のためにドラム７１に巻きつける回数も異なる。
【００４１】
緯糸３を通す前に、緯糸３ａ〜３ｄを測長しておくことで、緯糸３ａ〜３ｄの下流側の端の到達位置を、それぞれ第１位置、第２位置、第３位置及び第４位置に揃えることができる。
【００４２】
図１に示すように、ノズル４の流体の噴射圧力及び噴射時間は調節可能となっている。また、各サブノズル５１〜５８の流体の噴射圧力及び噴射時間も調節可能となっている。さらに、ピン８１がドラム７１の外周面から当接及び離間するタイミングが調節可能となっていることによって、係止手段の緯糸３の係止及び開放のタイミングが調節可能となっている。
【００４３】
特に、ピン８１がドラム７１の外周面から当接及び離間するタイミングは、従来は、設定された時間の整数倍のみで調節可能であった。つまり、ピン８１がドラム７１の外周面から当接及び離間するタイミングの変更に制限があった。
【００４４】
これに対して、本実施形態では、設定された時間の小数倍でも調節可能となっている。これにより、ピン８１がドラム７１の外周面から当接及び離間するタイミングをより自由に変更できる。
【００４５】
これらの調節可能な項目を調節することによって、例えば、太さ、伸縮、空気抵抗等が異なる多種類の緯糸に対応すること、緯糸の下流側の端の到達位置の精度を向上させること等が実現できる。
【００４６】
図１に示すように、緯入れ方向に緯糸３の下流側の端が到達する所定の位置より下流側のサブノズル５１〜５８は、緯糸３をノズル４から飛走させる場合に、流体の噴射を停止できるようになっている。例えば、緯糸３ａをノズル４から飛走させる場合、緯入れ方向に第１位置より下流側のサブノズル５３〜５８は流体の噴射を停止する。
【００４７】
同様に緯糸３ｂをノズル４から飛走させる場合、緯入れ方向に第２位置より下流側のサブノズル５５〜５８は流体の噴射を停止し、緯糸３ｃをノズル４から飛走させる場合、緯入れ方向に第３位置より下流側のサブノズル５７，５８は流体の噴射を停止する。
【００４８】
緯糸３ｄをノズル４から飛走させる場合、すべてのサブノズル５１〜５８は流体の噴射を行う。
【００４９】
図１に示すように、ノズル４の緯入れ方向の下流側である第４位置のさらに下流側には、緯糸３ｄの到達を検出するセンサー９が設けられている。ノズル４から緯糸３ｄが緯入れされたにもかかわらず、センサー９が緯糸３ｄの到達を検出できない時は、織機１は製織を停止するようになっている。
【００５０】
このセンサー９はＯＮ／ＯＦＦ自在となっている。例えば、緯糸３ｄが緯入れされる場合は、センサー９はＯＮになっている。これに対して、緯糸３ａ〜３ｃが緯入れされる場合は、センサー９はＯＦＦになっている。つまり、緯糸３ａ〜３ｃがショートピックとなっても、織機１は製織を停止しないようになっている。
【００５１】
以下、本発明の一実施形態の製織方法について説明する。
【００５２】
製織方法は、緯入れ方向の下流側の端の到達位置が緯入れ方向の所定位置となるように、予め緯糸３を測長する工程と、経糸２を開口させる工程と、緯糸３ごとに緯入れ方向の下流側の端の到達位置を調節して開口に緯糸３を通す工程と、緯糸３を筬打ちする工程とを備える。
【００５３】
前述の実施形態の織機で製織された織物１は、一部の緯糸３の少なくとも一方の端が織物1の幅方向の所定の位置にあり、一部の緯糸３を含む織組織と一部の緯糸３を含まない織組織とが織物1の幅方向に連続している部分を含む。
【００５４】
図３に示すように、緯糸３ａの右端は、織物１の幅方向の１番左側の所定の位置にあり、緯糸３ｂの右端は、織物１の幅方向の２番目に右側の所定の位置にあり、緯糸３ｃの右端は、織物１の幅方向の３番目に右側の所定の位置にあり、緯糸３ｄの右端は、織物１の幅方向の最も左側の所定の位置にある。
【００５５】
図３のＡの領域では、製織後に図４の（Ａ）に示すように緯糸３ａ〜３ｄを含む織組織となっており、Ｂの領域では、製織後に図４の（Ｂ）に示すように、緯糸３ｂ〜３ｄを含む織組織となっており、Ｃの領域では、製織後に図４の（Ｃ）に示すように、緯糸３ｃ〜３ｄを含む織組織となっており、Ｄの領域では、製織後に図４の（Ｄ）に示すように、緯糸３ｄのみを含む織組織となっている。
【００５６】
一部の緯糸３及び経糸２の交差が、一部の緯糸３以外の緯糸３及び経糸２の交差が異なっている。図４の（Ａ）、（Ｂ）及び（Ｃ）では、それぞれ緯糸３ａ〜３ｃが経糸３と三本ごとに交差している。これに対して図４の（Ｄ）では、緯糸３ｄが経糸３と一本ごとに交差している。
【００５７】
２以上の異なる織組織が織物の幅方向に連続しており、図３において、織物の幅方向に左から右に進むにしたがって、各織組織の緯糸密度が減少するようになっている。
【００５８】
図３のＡ〜Ｄの領域は、製織後にそれぞれ異なる織組織となっており、織物の幅方向に連続している。また、図３のＡ〜Ｄの領域は、製織後の織物の幅方向に進むにしたがって、Ａ領域だった部分の織組織、Ｂ領域だった部分の織組織、Ｃ領域だった部分の織組織、Ｄ領域だった部分の織組織の順に緯糸密度が減少する。
【００５９】
上記実施形態では、織機がエアジェットルームである場合について説明したが、これに限定されることはない。織機は、ウォータージェットルームでもよいし、その他の無杼織機であってもよい。
【００６０】
上記実施形態では、測長手段７がドラム７１を有する測長貯留装置である場合について説明したが、これに限定されることはない。緯糸を測長して貯留できる他の装置であってもよい。
【００６１】
上記実施形態では、緯入れ手段に１本のノズルが設けられている場合を、図示して説明したが、これに限定されることはない。緯入れ手段に複数本のノズルが設けられていてもよい。また、緯入れ手段は、一回の開口に複数本の緯糸を緯入れしてもよい。
【００６２】
上記実施形態では、緯糸３の下流側の端の到達位置を４つの所定の位置としている場合について説明したが、これに限定されることない。緯糸は下流側の端の到達位置を、例えば２、３、５つ以上の複数の所定の位置としてもよい。
【００６３】
上記実施形態では、ノズル４の緯入れ方向下流側である第４位置付近に緯糸３ｄの到達を検出するセンサー９が設けられている場合について説明したが、これに限定されることはない。同じくノズルの緯入れ方向下流側であって、緯糸の下流側の端が到達するそれぞれの位置にセンサーが設けられていてもよい。
【００６４】
上記実施形態では、第４位置の下流側にのみセンサー９が設けられている場合について説明したが、これに限定されることはない。緯糸の下流側の端が到達するそれぞれの位置の上流側及び下流側の両方にセンサーが設けられていてもよい。緯糸の飛走が予定通りに行われたかどうかより詳細に検出することができる。
【００６５】
上記実施形態では、緯糸３ａ〜３ｃが経糸３と三本ごとに交差している場合について説明したが、これに限定されることはない。一部の緯糸及び経糸の交差が一部の緯糸以外の緯糸及び経糸の交差と異なっていれば、緯糸及び経糸の交差は自由に設定することができる。
【００６６】
上記実施形態では、２以上の異なる織組織が織物の幅方向に連続しており、織物の幅方向に進むにしたがって、各織組織の緯糸密度が減少する場合について説明したがこれに限定されることはない。２以上の異なる織組織が織物の幅方向に連続しており、織物の幅方向に進むにしたがって、各織組織の緯糸密度が増加してもよい。
【符号の説明】
【００６７】
１      織物
２      経糸
３，３ａ，３ｂ，３ｃ，３ｄ    緯糸
４      ノズル
６      緯糸パッケージ
７      測長手段
８      係止手段
９      センサー
５１，５２，５３，５４，５５，５６，５７，５８    サブノズル
７１    ドラム
８１    ピン
【図１】
2017155396.tif 000003
【図２】
2017155396.tif 000004
【図３】
2017155396.tif 000005
【図４】
2017155396.tif 000006